(57)【特許請求の範囲】
【請求項１】
携帯電話の本体に着脱可能に構成されるとともに、主ＩＤコードが記憶される外部メモリと、
各種データの一部が副ＩＤコードとして指定された状態で各種データが記憶される内部メモリと、
制御対象に制御を要求する旨の前記主ＩＤコードを含む無線信号を送信する制御装置と、を備え、
前記副ＩＤコードが前記内部メモリに存在すること、及び前記制御対象側にて前記無線信号に含まれる前記主ＩＤコードの妥当性が確認されたことを条件に前記制御対象の制御が可能とされ、
前記副ＩＤコードは、携帯電話の機能において使用されるデータの一部である電子キー機能付き携帯電話。
【請求項２】
請求項１に記載の電子キー機能付き携帯電話において、
前記制御装置は、前記無線信号に前記副ＩＤコードを含ませて送信し、
前記制御対象側にて同無線信号に含まれる前記主ＩＤコード及び前記副ＩＤコードの妥当性が確認されたとき、前記制御対象の制御が実行される電子キー機能付き携帯電話。
【請求項３】
請求項１に記載の電子キー機能付き携帯電話において、
前記外部メモリには前記副ＩＤコードが記憶され、
前記制御装置は、前記内部メモリから読み出した前記副ＩＤコード及び前記外部メモリの前記副ＩＤコードの照合が成立したことを条件として前記主ＩＤコードを含む無線信号の送信が可能となる電子キー機能付き携帯電話。
【請求項４】
請求項１〜３の何れか一項に記載の電子キー機能付き携帯電話において、
生体情報を取得する生体情報取得部を備え、
同生体情報取得部を介して取得された生体情報の少なくとも一部が前記副ＩＤコードとして前記内部メモリに記憶される電子キー機能付き携帯電話。
【請求項５】
請求項２に記載の電子キー機能付き携帯電話において、
前記制御対象には前記主ＩＤコードが記憶され、
前記外部メモリが新たな携帯電話に装着された状態において、同携帯電話の制御装置は、前記外部メモリに記憶される前記主ＩＤコード及び前記新たな携帯電話の副ＩＤコードを含む登録要求信号をセンタに無線送信し、
同センタは、前記登録要求信号に含まれる前記主ＩＤコードの妥当性を確認し、かつ、前記新たな携帯電話のユーザを認証する本人認証手段を通じて正規のユーザである旨認識したとき、前記副ＩＤコードを含む登録指令信号の無線送信を通じて前記制御対象に前記副ＩＤコードを記憶させ、
前記制御対象において、前記新たな携帯電話からの前記無線信号に含まれる主ＩＤコード及び副ＩＤコードと、自身に記憶される主ＩＤコード及び副ＩＤコードとの両照合が成立したとき、主ＩＤコード及び副ＩＤコードの妥当性が確認されたとして制御が実行される電子キー機能付き携帯電話。
【請求項６】
請求項５に記載の電子キー機能付き携帯電話において、
前記制御対象は、前記無線信号に含まれる前記主ＩＤコードの妥当性を確認でき、かつ前記副ＩＤコードの妥当性を確認できないとき、前記新たな携帯電話に登録トリガ信号を無線送信し、
同携帯電話は、前記登録トリガ信号を受信したとき、前記登録要求信号を前記センタに送信する電子キー機能付き携帯電話。
【発明の詳細な説明】
【技術分野】
【０００１】
この発明は、電子キー機能付き携帯電話に関する。
【背景技術】
【０００２】
従来の電子キーシステムにおいては、ユーザが携帯する電子キー及び車両又は住宅間でのＩＤコードを含む各種信号の送受信を通じて、ドアの施解錠等の制御が可能に構成されていた。近年、更なる利便性の向上を図るべく、例えば、特許文献１に示されるように、携帯電話に電子キー機能を付加する試みが検討されている。例えば、携帯電話に対して着脱可能に構成されるＳＩＭ（Subscriber Identity Module）カードにＩＤコードを登録することが検討されている。ＳＩＭカードとは、電話番号や契約者を識別するための情報が保存されているＩＣカードである。ユーザは携帯電話を買え替える際に、もとの携帯電話からＳＩＭカードを抜き出して、新しい携帯電話に差し込むだけで、自分の携帯電話として通話等ができる。
【０００３】
上述のように、ＳＩＭカードに新たに電子キーシステムにおいて利用されるＩＤコードを登録すれば、ＳＩＭカードを差し替えるだけで自身の携帯電話として通話等のみならず、携帯電話を電子キーとしてＩＤコードを含む各種信号の送受信を通じて、ドアの施解錠等が可能となる。これにより、利便性の高い電子キー機能付き携帯電話を実現することができる。
【先行技術文献】
【特許文献】
【０００４】
【特許文献１】特開２００７−１８１１１９号公報
【発明の概要】
【発明が解決しようとする課題】
【０００５】
ところで、上記検討されている電子キー機能付き携帯電話においては、ＳＩＭカードが不正に携帯電話から抜き出された場合に、同ＳＩＭカードを異なる携帯電話に差し込めば、その携帯電話を通じて、不正にドアの施解錠等がされるおそれがある。
【０００６】
この発明は、こうした実情に鑑みてなされたものであり、その目的は、利便性を確保しつつもセキュリティ性を向上させた電子キー機能付き携帯電話を提供することにある。
【課題を解決するための手段】
【０００７】
以下、上記目的を達成するための手段及びその作用効果について説明する。
請求項１に記載の発明は、携帯電話の本体に着脱可能に構成されるとともに、主ＩＤコードが記憶される外部メモリと、各種データの一部が副ＩＤコードとして指定された状態で各種データが記憶される内部メモリと、制御対象に制御を要求する旨の前記主ＩＤコードを含む無線信号を送信する制御装置と、を備え、前記副ＩＤコードが前記内部メモリに存在すること、及び前記制御対象側にて前記無線信号に含まれる前記主ＩＤコードの妥当性が確認されたことを条件に前記制御対象の制御が可能とされ、前記副ＩＤコードは、携帯電話の機能において使用されるデータの一部であることをその要旨としている。
【０００８】
同構成によれば、内部メモリに記憶される各種データの一部が副ＩＤコードとして指定され、その副ＩＤコードが内部メモリに存在する場合には、携帯電話にて主ＩＤコードを含む無線信号の送信を通じて制御対象の制御を行うことができる。従って、外部メモリが自身の携帯電話から不正に抜き出されて、他の携帯電話に差し込まれた場合であっても、他の携帯電話には副ＩＤコードが記憶されていないため、制御対象の制御をすることができない。これにより、他の携帯電話を通じた制御対象の制御を防止できるため、セキュリティ性を向上させることができる。また、例えば、携帯電話の機種変更の際には、もとの携帯電話の内部メモリに記憶される副ＩＤコードを含むデータを新たな携帯電話の内部メモリに移し替えれば、自身の電子キー機能付き携帯電話として使用することができ、ユーザの利便性を確保することができる。
また、携帯電話の機能において使用されているデータの一部が副ＩＤコードとして利用されるため、副ＩＤコードが内部メモリの記憶容量を圧迫することを抑制することができる。
【０００９】
請求項２に記載の発明は、請求項１に記載の電子キー機能付き携帯電話において、前記制御装置は、前記無線信号に前記副ＩＤコードを含ませて送信し、前記制御対象側にて同無線信号に含まれる前記主ＩＤコード及び前記副ＩＤコードの妥当性が確認されたとき、前記制御対象の制御が実行されることをその要旨としている。
【００１０】
同構成によれば、携帯電話が送信する無線信号には、主ＩＤコードに加えて、副ＩＤコードが含まれる。そして、制御対象側にて無線信号に含まれる主ＩＤコード及び副ＩＤコードの妥当性が確認されたとき、制御対象の制御が実行される。ここで、主ＩＤコードの妥当性が確認されたとき、上記「副ＩＤコードが内部メモリに存在すること」という条件を満たすことになる。従って、外部メモリが自身の携帯電話から不正に抜き出されて、他の携帯電話に差し込まれた場合であっても、他の携帯電話には正規の副ＩＤコードが記憶されていないため、他の携帯電話から無線信号を送信したとしても制御対象側にて無線信号に含まれる副ＩＤコードの妥当性が確認されない。従って、上記条件が満たされず、制御対象の制御が実行されることはない。また、機種変更等の際には、上述のように、副ＩＤコードを含むデータの移し替えにより容易に自己の電子キー機能付き携帯電話として使用することができる。以上により、利便性を確保しつつもセキュリティ性を向上させることができる。また、制御装置は、副ＩＤコードを無線信号に含ませるだけで、その副ＩＤコードの妥当性を判断しないため、その処理負担を低減することができる。
【００１１】
請求項３に記載の発明は、請求項１に記載の電子キー機能付き携帯電話において、前記外部メモリには前記副ＩＤコードが記憶され、前記制御装置は、前記内部メモリから読み出した前記副ＩＤコード及び前記外部メモリの前記副ＩＤコードの照合が成立したことを条件として前記主ＩＤコードを含む無線信号の送信が可能となることをその要旨としている。
【００１２】
同構成によれば、内部メモリから読み出された副ＩＤコード及び外部メモリの副ＩＤコードの照合が成立したとき、「副ＩＤコードが内部メモリに存在すること」という条件が満たされたとして主ＩＤコードを含む無線信号が送信される。従って、外部メモリが自身の携帯電話から不正に抜き出されて、他の携帯電話に差し込まれた場合であっても、他の携帯電話において副ＩＤコードの照合は成立せず、無線信号の送信が行われない。これにより、他の携帯電話を通じた制御対象の制御を防止できるため、セキュリティ性を向上させることができる。また、機種変更の際には、上述のように、副ＩＤコードを含むデータの移し替えにより容易に行うことができる。
【００１５】
請求項４に記載の発明は、請求項１〜３の何れか一項に記載の電子キー機能付き携帯電話において、生体情報を取得する生体情報取得部を備え、同生体情報取得部を介して取得された生体情報の少なくとも一部が前記副ＩＤコードとして前記内部メモリに記憶されることをその要旨としている。
【００１６】
同構成によれば、生体情報取得部を通じて取得された生体情報が副ＩＤコードとして利用される。ここで、生体情報は、特定のユーザのみが持ちうる情報である。従って、他人が生体情報取得部を通じて不正に副ＩＤコードを生成することを防止でき、セキュリティ性を確保することができる。また、正規のユーザであれば、必要に応じて容易に生体情報取得部を通じて生体情報、すなわち副ＩＤコードを取得することができる。従って、例えば、携帯電話の機種変更の際に利便性が高い。
【００１７】
請求項５に記載の発明は、請求項２に記載の電子キー機能付き携帯電話において、前記制御対象には前記主ＩＤコードが記憶され、前記外部メモリが新たな携帯電話に装着された状態において、同携帯電話の制御装置は、前記外部メモリに記憶される前記主ＩＤコード及び前記新たな携帯電話の副ＩＤコードを含む登録要求信号をセンタに無線送信し、同センタは、前記登録要求信号に含まれる前記主ＩＤコードの妥当性を確認し、かつ、前記新たな携帯電話のユーザを認証する本人認証手段を通じて正規のユーザである旨認識したとき、前記副ＩＤコードを含む登録指令信号の無線送信を通じて前記制御対象に前記副ＩＤコードを記憶させ、前記制御対象において、前記新たな携帯電話からの前記無線信号に含まれる主ＩＤコード及び副ＩＤコードと、自身に記憶される主ＩＤコード及び副ＩＤコードとの両照合が成立したとき、主ＩＤコード及び副ＩＤコードの妥当性が確認されたとして制御が実行されることをその要旨としている。
【００１８】
同構成によれば、外部メモリが新たな携帯電話に装着された場合において、その携帯電話の副ＩＤコードが制御対象に記憶されることで、新たな携帯電話が制御対象に登録される。具体的には、携帯電話は、主ＩＤコード及び副ＩＤコードを含む登録要求信号をセンタに送信する。センタは、登録要求信号に含まれる主ＩＤコードの妥当性を確認し、かつ、本人認証手段を通じて正規の携帯電話ユーザである旨認識したとき、副ＩＤコードを含む登録指令信号を制御対象に送信する。制御対象は、登録指令信号を受信すると、同登録指令信号に含まれる副ＩＤコードを自身に記憶する。これにて、新たな携帯電話の副ＩＤコードの登録が完了して、同携帯電話を通じて制御対象の制御を実行することが可能となる。
【００１９】
請求項６に記載の発明は、請求項５に記載の電子キー機能付き携帯電話において、前記制御対象は、前記無線信号に含まれる前記主ＩＤコードの妥当性を確認でき、かつ前記副ＩＤコードの妥当性を確認できないとき、前記新たな携帯電話に登録トリガ信号を無線送信し、同携帯電話は、前記登録トリガ信号を受信したとき、前記登録要求信号を前記センタに送信することをその要旨としている。
【００２０】
同構成によれば、制御対象において無線信号に含まれる副ＩＤコードだけ照合が成立しなかった場合、登録トリガ信号が携帯電話に送信される。携帯電話は、登録トリガ信号を受信したとき、自身の副ＩＤコードは制御対象に登録されていないとして、登録要求信号を送信する。これにより、携帯電話の副ＩＤコードの登録が行われる。以上のように、未登録の携帯電話を通じて制御対象の制御が試みられたときに副ＩＤコードの登録が行われる。よって、携帯電話を通じた制御対象の制御を全く行わない場合に副ＩＤコードが登録されることが抑制される。これにより、不用意に副ＩＤコードが登録されることが抑制され、セキュリティ性が向上する。
【発明の効果】
【００２１】
本発明によれば、電子キー機能付き携帯電話において、利便性を確保しつつもセキュリティ性を向上させることができる。
【図面の簡単な説明】
【００２２】
【図１】第１の実施形態における電子キーシステムの構成図。
【図２】第１の実施形態における副ＩＤコードを示した信号図。
【図３】第２の実施形態における電子キーシステムの構成図。
【図４】第３の実施形態における電子キーシステムの構成図。
【図５】第４及び第５の実施形態における電子キーシステムの構成図。
【発明を実施するための形態】
【００２３】
（第１の実施形態）
以下、本発明にかかる電子キー機能付き携帯電話を車両用の電子キーシステムに具体化した第１の実施形態について図１及び図２を参照して説明する。
【００２４】
図１に示すように、電子キーシステムでは、携帯電話１０及び車載機２０間の無線通信を通じて、車両ドアの施解錠が可能となる。
具体的には、携帯電話１０は、自身の統括制御を行う携帯側制御装置１１を備える。この携帯側制御装置１１には、通話、メール等の機能を実行する電話機能部１４と、テンキー等からなるスイッチ群１５とがそれぞれ接続されている。携帯側制御装置１１は、ユーザのスイッチ群１５のスイッチ操作に基づき、スイッチ群１５から操作信号を受ける。携帯側制御装置１１は当該操作信号に応じて、電話機能部１４の各種機能を実行させる。
【００２５】
また、携帯電話１０には、ＳＩＭカード５が着脱可能に設けられている。ＳＩＭカード５には、後述する主ＩＤコード、電話番号及び契約者を識別するための情報等が記憶されている。携帯電話の機種変更の際に、ユーザはもとの携帯電話からＳＩＭカード５を抜き出して、新しい携帯電話に差し込むだけで、自分の携帯電話として使用することができる。
【００２６】
携帯側制御装置１１には、音楽データ及び画像データ等の各種データが記憶される不揮発性の内部メモリ１６が接続されている。内部メモリ１６に記憶されるデータは符号の羅列（二進符号）で表される。携帯側制御装置１１は、内部メモリ１６のデータの一部を副ＩＤコード１６ａとして指定する。ここで、副ＩＤコード１６ａは音楽データや画像データの一部を構成するものである。
【００２７】
具体的には、図２に示すように、内部メモリ１６に記憶された各種のデータ（音楽データ等）から特定のデータを選択し、この選択したデータのＸビット目からＹビット目（Ｘ＜Ｙ）を副ＩＤコード１６ａとして指定する。内部メモリ１６には、この選択されたデータ（選択データ）及び同データにおける指定領域（本例ではＸビット目からＹビット目）を特定するために必要とされる情報が記憶される。携帯側制御装置１１は、内部メモリ１６に記憶される選択データ及び指定領域をそれぞれ特定するために必要とされる情報に基づき、副ＩＤコード１６ａを認識する。
【００２８】
図１に示すように、携帯側通信部１２は、無線信号であるトリガ信号を受信したとき、その旨の信号を携帯側制御装置１１に出力する。携帯側制御装置１１は、トリガ信号を受信した旨認識すると主ＩＤコード及び副ＩＤコード１６ａを含む応答信号を生成する。すなわち、携帯側制御装置１１は、トリガ信号を受信すると、内部メモリ１６に格納された選択データ及び指定領域をそれぞれ特定するために必要とされる情報に基づき認識される副ＩＤコード１６ａを応答信号に含ませる。これと同時に、携帯側制御装置１１は、ＳＩＭカード５に記憶される主ＩＤコードを応答信号に含ませることで、主ＩＤコード及び副ＩＤコード１６ａを含む応答信号を生成する。携帯側制御装置１１は、生成した応答信号を、携帯側通信部１２を介して無線送信する。
【００２９】
車載機２０は、車載制御装置２１と、車載通信部２２と、ドアロック装置２３とを備える。車載制御装置２１は、車載機２０の統括制御を行うとともに、メモリ２１ａを備える。メモリ２１ａには、ＳＩＭカード５に記憶される主ＩＤコードと同一の主ＩＤコード及び
内部メモリ１６内で指定された副ＩＤコード１６ａと同一の副ＩＤコード１６ａが記憶されている。
【００３０】
車載通信部２２は、例えば車両ドアに設けられる。車載通信部２２は、その近傍に所定の周期でトリガ信号を発信する。携帯電話１０は、車両ドアにかざされることにより、車載通信部２２から発信されるトリガ信号を受信可能となる。車載通信部２２は、トリガ信号を受けた携帯電話１０からの応答信号を受信し、受信した応答信号を車載制御装置２１に出力する。
【００３１】
車載制御装置２１は、この応答信号を認識すると、同応答信号に含まれる主ＩＤコードと、自身のメモリ２１ａに記憶される主ＩＤコードとの照合を行う。車載制御装置２１は、主ＩＤコードの照合が成立したとき、応答信号に含まれる副ＩＤコード１６ａと、自身のメモリ２１ａに記憶される副ＩＤコード１６ａとの照合を行う。車載制御装置２１は、副ＩＤコード１６ａの照合が成立したとき、ドアロック装置２３を介して車両ドアの施解錠状態を切り替える。すなわち、車載制御装置２１は、ドアロック装置２３を介して車両ドアの施解錠状態を認識できる。車載制御装置２１は、施錠状態において、主ＩＤコード及び副ＩＤコード１６ａの照合が成立したとき、ドアロック装置２３を介して車両ドアを解錠する。同様に、車載制御装置２１は、解錠状態において、主ＩＤコード及び副ＩＤコード１６ａの照合が成立したとき、ドアロック装置２３を介して車両ドアを施錠する。すなわち、主ＩＤコード及び副ＩＤコード１６ａの両照合が成立しない限り、車両ドアは施解錠されない。
【００３２】
ここで、ＳＩＭカード５は、携帯電話１０に対して抜き差し可能に設けられているところ、ＳＩＭカード５が自身の携帯電話１０から不正に抜き出されて、他の携帯電話に差し込まれるおそれがある。この他の携帯電話は、上記説明した携帯電話１０と同様の構成、すなわち、トリガ信号に対してＳＩＭカード５に登録される主ＩＤコード及び副ＩＤコード１６ａを応答信号に含ませて送信可能とした構成であるとする。この場合、他の携帯電話は、自身の内部メモリに記憶される選択データ及び指定領域をそれぞれ特定するために必要とされる情報に基づき副ＩＤコードを認識し、その副ＩＤコードを応答信号に含ませて送信する。しかし、自身の携帯電話１０と他の携帯電話とでは、内部メモリ１６に保存されているデータが異なるため、副ＩＤコードは異なるものとなる。また、たとえ、同じデータが保存されていても選択データ及び指定領域が異なれば副ＩＤコードは異なるものとなる。
【００３３】
従って、副ＩＤコードを含む応答信号が他の携帯電話から送信された場合であっても、車載機２０において応答信号に含まれる副ＩＤコードと、自身のメモリ２１ａに記憶される副ＩＤコード１６ａとの照合が成立しない。このため、上述のように、携帯電話１０からＳＩＭカード５が不正に抜き出されて、他の携帯電話に差し込まれた場合における応答信号の送信を通じた車両ドアの施解錠が防止され、セキュリティ性を向上させることができる。
【００３４】
また、携帯電話１０の機種変更の際には、ＳＩＭカード５を差し替えるとともに、内部メモリ１６内のデータ、特に副ＩＤコード１６ａを含むデータ、並びに選択データ及びその指定領域をそれぞれ特定するために必要とされる情報を新たな携帯電話の内部メモリ１６に記憶すればよい。このような、内部メモリ１６のデータの移し替えは携帯電話ショップ等で通常行われるサービスである。従って、特に意識することなく、電子キー機能を付加させた状態で携帯電話の機種変更が可能となる。
【００３５】
以上、説明した実施形態によれば、以下の作用効果を奏することができる。
（１）携帯電話１０は、車載機２０からのトリガ信号に対して内部メモリ１６に記憶されるデータの一部が指定されてなる副ＩＤコード１６ａ及びＳＩＭカード５に記憶される主ＩＤコードを含む応答信号を送信する。そして、車載機２０にて応答信号に含まれる主ＩＤコード及び副ＩＤコード１６ａの照合が成立したとき、車両ドアの施解錠が実行される。従って、ＳＩＭカード５が自身の携帯電話から不正に抜き出されて、他の携帯電話に差し込まれた場合、他の携帯電話からの応答信号では副ＩＤコードの照合が成立しない。このため、他の携帯電話を通じた車両ドアの施解錠を防止することができ、セキュリティ性を向上させることができる。
【００３６】
また、携帯電話１０の機種変更の際には、もとの携帯電話の内部メモリ１６に記憶される副ＩＤコード１６ａを含むデータ並びに選択データ及び指定領域をそれぞれ特定するために必要とされる情報を新たな携帯電話の内部メモリ１６に移し替えれば、自身の携帯電話として車両ドアの施解錠を行うことができる。
【００３７】
また、携帯側制御装置１１は、副ＩＤコード１６ａを応答信号に含ませるだけで、その副ＩＤコード１６ａの妥当性を判断しないため、その処理負担を低減することができる。
（２）副ＩＤコード１６ａは、音楽データ及び画像データ等の一部を構成するものである。従って、副ＩＤコードを別に内部メモリ１６に格納する場合と異なり、内部メモリ１６の容量が副ＩＤコード１６ａにより圧迫されることがない。
【００３８】
（第２の実施形態）
以下、本発明にかかる電子キー機能付き携帯電話を電子キーシステムに具体化した第２の実施形態について説明する。この実施形態における携帯電話１０は、副ＩＤコード１６ａの使用態様が上記第１の実施形態と異なっている。以下、第１の実施形態との相違点を中心に説明する。なお、この実施形態の電子キーシステムは、図１に示す第１の実施形態の電子キーシステムとほぼ同様の構成を備えている。
【００３９】
図３に示すように、ＳＩＭカード５には、主ＩＤコード等に加えて、携帯電話１０の内部メモリ１６に記憶されるデータの一部分である副ＩＤコード１６ａと同一の副ＩＤコード１６ａが記憶される。具体的には、携帯電話ショップ等で携帯電話１０及びＳＩＭカード５のペアリングを行うべく、内部メモリ１６に選択データ及びその指定領域をそれぞれ特定するために必要とされる情報を記憶させるとともに、その指定領域における情報からなる副ＩＤコード１６ａをＳＩＭカード５にも記憶させる。また、第１の実施形態と異なり車載制御装置２１のメモリ２１ａに記憶される副ＩＤコード１６ａは省略されている。ＳＩＭカード５の副ＩＤコード１６ａは通常無効とされ、携帯電話１０側にて副ＩＤコードの照合が成立したときに有効とされる。
【００４０】
詳しくは、携帯側制御装置１１は、ＳＩＭカード５が携帯電話１０に差し込まれると、そのＳＩＭカード５に登録されている副ＩＤコード１６ａを認識する。そして、携帯側制御装置１１は、ＳＩＭカード５の副ＩＤコード１６ａと、内部メモリ１６から読み出した副ＩＤコード１６ａとを照合する。携帯側制御装置１１は、副ＩＤコード１６ａの照合が成立したとき、このＳＩＭカード５は携帯電話１０に対応したものであるとしてＳＩＭカード５の主ＩＤコードを有効とする。この主ＩＤコードが有効のとき、携帯電話１０はトリガ信号を受けると、主ＩＤコードを含む応答信号を車載機２０に送信する。なお、本実施形態における応答信号には、副ＩＤコード１６ａは含まれていない。車載制御装置２１は、車載通信部２２を介して受信した応答信号に含まれる主ＩＤコードと、メモリ２１ａに記憶される主ＩＤコードとの照合が成立したとき、ドアロック装置２３を介して車両ドアを施解錠する。
【００４１】
携帯側制御装置１１は、副ＩＤコード１６ａの照合が成立しないとき、ＳＩＭカード５の主ＩＤコードを有効とせず、携帯電話１０はトリガ信号を受けても応答信号を送信しない。従って、例えば、ＳＩＭカード５が不正に自身の携帯電話１０から引き抜かれて、他の携帯電話に差し込まれた場合、他の携帯電話において副ＩＤコード１６ａの照合は成立しない。このため、他の携帯電話を通じた車両ドアの施解錠が防止され、セキュリティ性を向上させることができる。
【００４２】
以上、説明した実施形態によれば、第１の実施形態の（２）の作用効果に加え以下の作用効果を奏することができる。
（３）携帯電話１０は、内部メモリ１６の副ＩＤコード１６ａ及びＳＩＭカード５の副ＩＤコード１６ａの照合が成立したとき、トリガ信号に対して主ＩＤコードを含む応答信号を送信する。従って、ＳＩＭカード５が自身の携帯電話１０から不正に抜き出されて、他の携帯電話に差し込まれた場合であっても、他の携帯電話において副ＩＤコード１６ａの照合は成立せず、応答信号の送信が不可となる。これにより、セキュリティ性を向上させることができる。また、車載機２０における副ＩＤコード１６ａの登録や副ＩＤコード１６ａの照合が不要となる。
【００４３】
（第３の実施形態）
以下、本発明にかかる電子キー機能付き携帯電話を電子キーシステムに具体化した第３の実施形態について説明する。この実施形態における携帯電話１０は、顔認証を通じて副ＩＤコード１６ａの照合を行う点が上記第１の実施形態と異なっている。以下、第１の実施形態との相違点を中心に説明する。なお、この実施形態の電子キーシステムは、図４に示すように、図１に示す第１の実施形態の電子キーシステムとほぼ同様の構成を備えている。
【００４４】
図４に示すように、携帯電話１０はカメラ３０を備える。このカメラ３０は、生体情報取得部に相当する。カメラ３０で撮影された画像データは、携帯側制御装置１１を介して内部メモリ１６に記憶される。このとき、内部メモリ１６に記憶される全ての画像データが副ＩＤコードとされる。また、ＳＩＭカード５には、副ＩＤコードとして携帯電話１０のユーザの顔の画像データが記憶される。携帯側制御装置１１は、ＳＩＭカード５に記憶されるユーザの顔の画像データに基づき、内部メモリ１６に記憶される画像データにユーザの顔のデータがあるか否かの顔認証を行う。この顔認証が副ＩＤコード１６ａの照合にあたる。携帯側制御装置１１は、内部メモリ１６に記憶される画像データにユーザの顔のデータがある旨判断したとき、すなわち顔認証が成立したときＳＩＭカード５の主ＩＤコードを有効とし、応答信号の送信を可能とする。
【００４５】
以上、説明した実施形態によれば、第２の実施形態の（３）の作用効果に加え以下の作用効果を奏することができる。
（４）顔認証であれば、必要に応じて手軽にカメラ３０で顔写真を撮ることで、内部メモリ１６に顔の画像データを保存することができる。従って、例えば、携帯電話の機種変更の際には、自身の顔写真を撮れば主ＩＤコードが有効となり、応答信号を送信可能となる。この応答信号の送信により、第１の実施形態と同様に、車載機２０にて車両ドアの施解錠状態が切り替えられる。
【００４６】
（第４の実施形態）
以下、本発明にかかる電子キー機能付き携帯電話を電子キーシステムに具体化した第４の実施形態について図５を参照しつつ説明する。この実施形態の電子キーシステムは、図１に示す第１の実施形態の電子キーシステムとほぼ同様の構成を備えている。
【００４７】
本実施形態においては、ＳＩＭカードが新たな携帯電話に差し替えられたとき、無線通信を通じて新たな携帯電話の副ＩＤコードが車載機に登録される。従って、新たな携帯電話を通じた車両ドアの施解錠が可能となる。以下、第１の実施形態との相違点を中心に説明する。
【００４８】
図５に示すように、携帯電話５０の遠距離通信部１８は、通信ネットワークを介してセンタ４０との間で通信を行う。このセンタ４０はメモリ４１ａを備え、同メモリ４１ａにはＳＩＭカード５に対応する主ＩＤコード及び暗証番号が予め登録されている。この暗証番号は、正規のユーザのみが知りうる情報である。この登録作業は、例えばディーラにおいて行われる。また、車載機２０は携帯電話５０と同様に遠距離通信部２８を備える。
【００４９】
本実施形態においては、内部メモリ１６に格納される副ＩＤコードとして携帯電話５０のシリアルナンバーが利用される。シリアルナンバーは、それぞれの携帯電話に付与される固有の識別番号である。この識別番号により各携帯電話を識別可能となる。
【００５０】
次に、ＳＩＭカード５が新たな携帯電話５０に挿入された場合における同携帯電話５０の副ＩＤコード１６ａの車載機２０への登録態様について説明する。
図５に示すように、副ＩＤコード１６ａが登録されているもとの携帯電話１０からＳＩＭカード５が引き抜かれて、新たな携帯電話５０に挿入される。この新たな携帯電話５０の副ＩＤコードは車載機２０に登録されていない。よって、この状態で携帯電話５０から応答信号を送信しても、車載機２０において副ＩＤコード１６ａの照合が成立せず、車両ドアを解錠させることはできない。よって、以下に説明する登録作業が必要となる。
【００５１】
ここで、携帯電話５０の内部メモリ１６には、自身の副ＩＤコード１６ａを車載機２０に登録する際に起動するアプリケーションソフトが記憶されている。このアプリケーションソフトは、通信ネットワークを通じてセンタ４０からダウンロードが可能である。携帯側制御装置１１は、当該アプリケーションソフトに従って副ＩＤコード１６ａを車載機２０に登録する。
【００５２】
具体的には、携帯側制御装置１１は、ＳＩＭカード５が挿入された旨認識したとき、ユーザに暗証番号の入力を求める。そして、携帯側制御装置１１は、スイッチ群１５を通じて入力された暗証番号、ＳＩＭカード５の主ＩＤコード及び内部メモリ１６の副ＩＤコード１６ａ（シリアルナンバー）を認識し、それらを含む登録要求信号を遠距離通信部１８を介して送信する。この登録要求信号は通信ネットワークを介してセンタ４０に送信される。センタ４０は、登録要求信号に含まれる暗証番号と自身のメモリ４１ａに記憶される暗証番号との照合を行うとともに、登録要求信号に含まれる主ＩＤコードと自身のメモリ４１ａに記憶される主ＩＤコードとの照合を行う。暗証番号の照合を通じて携帯電話５０のユーザの妥当性が確認される。また、センタ４０は、主ＩＤコードの照合を通じて、新たに副ＩＤコードを登録する対象となる車両を認識できる。すなわち、メモリ４１ａには、主ＩＤコードのみならず、同コードに対応する車両情報が記憶されている。センタ４０のメモリ４１ａには受信した登録要求信号に含まれる副ＩＤコードが一時的に記憶される。
【００５３】
センタ４０は、暗証番号及び主ＩＤコードの両照合が成立した旨判断したとき、車載機２０に副ＩＤコード１６ａを含む登録指令信号を送信する。車載制御装置２１は、遠距離通信部２８を介して登録指令信号を受信すると、同登録指令信号に含まれる副ＩＤコードを新たにメモリ２１ａに記憶する。
【００５４】
車載制御装置２１は、副ＩＤコード１６ａのメモリ２１ａへの記憶が完了した旨認識したとき、登録作業が完了した旨の完了信号を遠距離通信部２８を通じてセンタ４０に送信する。センタ４０は、車載制御装置２１から完了信号を受信すると、メモリ４１ａに一時的に記憶された副ＩＤコードを消去するとともに、通信ネットワークを通じて携帯電話５０に完了信号を送信する。携帯側制御装置１１は、遠距離通信部１８を通じて完了信号を受信した旨認識すると、図示しない表示部を通じてユーザに副ＩＤコードの登録が完了した旨通知する。
【００５５】
以上の登録作業により新たな携帯電話５０を通じた車両ドアの施解錠状態の切り替えが可能となる。すなわち、ＳＩＭカード５が装着された新たな携帯電話５０は、車載機２０からのトリガ信号を受けると、主ＩＤコード及び副ＩＤコード１６ａを含む応答信号を送信する。この副ＩＤコード１６ａは、上述のように車両に登録されたものである。車載機２０は、受信した応答信号に含まれる主ＩＤコード及び副ＩＤコード１６ａの両照合が成立したとき、車両ドアの施解錠状態を切り替える。
【００５６】
また、携帯電話５０は、車載機２０のメモリ２１ａに記憶された副ＩＤコード１６ａを消去することができる。携帯側制御装置１１は、スイッチ群１５を通じて副ＩＤコード１６ａの消去に係る操作がされた旨認識したとき、ユーザに暗証番号の入力を求める。以下、登録要求信号と同様に、暗証番号、主ＩＤコード及び副ＩＤコード１６ａを含む消去要求信号が通信ネットワークを通じてセンタ４０に送信される。センタ４０は、消去要求信号に含まれる暗証番号及び主ＩＤコードの両照合が成立したとき、副ＩＤコード１６ａを含む消去指令信号を車載機２０に送信する。車載機２０は消去指令信号を受信すると、同消去指令信号に含まれる副ＩＤコード１６ａと同一の副ＩＤコード１６ａをメモリ２１ａから消去する。車載機２０は、副ＩＤコード１６ａの消去が完了した旨認識したとき、センタ４０を通じて携帯電話５０に完了信号を送信する。携帯電話５０は完了信号を受信すると、その旨を図示しない表示部を通じてユーザに通知する。これにより、例えば、携帯電話を機種変更する際に、もとの携帯電話の副ＩＤコード１６ａを車載機２０から消去することで、セキュリティ性を維持することができる。
【００５７】
以上、説明した実施形態によれば、以下の作用効果を奏することができる。
（５）ＳＩＭカード５が新たな携帯電話５０に装着された場合において、その携帯電話５０の副ＩＤコード１６ａが車載機２０に記憶されることで、新たな携帯電話５０が車両に登録される。具体的には、携帯電話５０は、主ＩＤコード、副ＩＤコード１６ａ及び暗証番号を含む登録要求信号をセンタ４０に送信する。センタ４０は、登録要求信号に含まれる主ＩＤコード及び暗証番号の両照合が成立した旨認識したとき、副ＩＤコード１６ａを含む登録指令信号を車載機２０に送信する。車載機２０は、登録指令信号を受信すると、同登録指令信号に含まれる副ＩＤコード１６ａを自身のメモリ２１ａに記憶する。これにて、新たな携帯電話５０の副ＩＤコード１６ａの登録が完了して、同携帯電話５０を通じて車両ドアの施解錠を実行することが可能となる。
【００５８】
これにより、もとの携帯電話１０の故障等により副ＩＤコード１６ａを含む内部メモリ１６のデータが消失した場合においても、新たな携帯電話５０の副ＩＤコード１６ａを容易に車両に登録することができる。また、センタ４０を通じて副ＩＤコード１６ａの登録が行われるため、携帯電話５０が車両から離れた位置にあっても、副ＩＤコード１６ａの登録を行うことができる。
【００５９】
（６）副ＩＤコード１６ａとしてシリアルナンバーが利用されている。シリアルナンバーは、携帯電話毎に付与されている携帯電話固有の番号であるため、副ＩＤコードとしては好適である。また、シリアルナンバーは携帯電話５０の内部メモリ１６に予め記憶されているため、副ＩＤコードが内部メモリ１６の容量を圧迫することはない。
【００６０】
（７）新たな携帯電話５０にＳＩＭカード５が挿入されると、暗証番号の入力を待って自動で登録要求信号が送信される。よって、ユーザの操作により登録要求信号の送信を通じて副ＩＤコード１６ａを車両に登録する手間が省ける。
【００６１】
（第５の実施形態）
以下、本発明にかかる電子キー機能付き携帯電話を電子キーシステムに具体化した第５の実施形態について説明する。この実施形態の電子キーシステムは、図５に示す第４の実施形態の電子キーシステムとほぼ同様の構成を備えている。この実施形態においては、携帯電話５０に対応する副ＩＤコード１６ａの車両への登録タイミングが第４の実施形態と異なる。以下、第４の実施形態との相違点を中心に説明する。
【００６２】
新たな携帯電話５０にＳＩＭカード５が挿入されて、その副ＩＤコード１６ａが車両に登録されていない場合、車載機２０において副ＩＤコードの照合が成立しない。車載制御装置２１は、主ＩＤコードの照合は成立したものの、副ＩＤコードの照合が成立しなかった場合、車載通信部２２を通じて登録トリガ信号を送信する。
【００６３】
携帯側制御装置１１は、携帯側通信部１２を通じて登録トリガ信号を受信すると、上記第４の実施形態と同様に、ユーザに暗証番号の入力を求める。以下、第４の実施形態と同様に、登録要求信号及び登録指令信号を通じて携帯電話５０の副ＩＤコード１６ａを車載機２０のメモリ２１ａに記憶させる。これにより、新たな携帯電話５０を通じた車両ドアの施解錠状態の切り替えが可能となる。
【００６４】
以上、説明した実施形態によれば、第４の実施形態の（５）及び（６）の作用効果に加え以下の作用効果を奏することができる。
（８）車載機２０において応答信号に含まれる副ＩＤコードだけ照合が成立しなかった場合、登録トリガ信号が携帯電話５０に送信される。携帯電話５０は、登録トリガ信号を受信したとき、自身の副ＩＤコードは車載機２０に登録されていないとして、登録要求信号を送信する。これにより、第４の実施形態と同様に、携帯電話５０の副ＩＤコードの登録が行われる。以上のように、未登録の携帯電話５０を通じて車両ドアの解錠が試みられたときに、副ＩＤコードの登録が行われる。よって、携帯電話５０を通じた車両ドアの施解錠を全く行わない場合において、その副ＩＤコードが登録されることが抑制される。これにより、不用意に副ＩＤコードが登録されることが抑制され、セキュリティ性が向上する。また、副ＩＤコードの登録に係る通信やそのコストを低減することができる。
【００６５】
なお、上記実施形態は、これを適宜変更した以下の形態にて実施することができる。
・第４及び第５の実施形態においては、センタ４０のメモリ４１ａへの主ＩＤコード及び暗証番号の登録作業はディーラにおいて行われていた。しかし、携帯電話５０から通信ネットワークを通じて行えるようにしてもよい。この場合にも、暗証番号の入力等を通じて特定の携帯電話のユーザによってのみ登録作業が可能となるようにすることが好ましい。
【００６６】
・第４及び第５の実施形態においては、本人認証手段として暗証番号の入力が求められていた。しかし、本人認証が可能であれば、本人認証手段はこれに限定されない。例えば、指紋認証等の生体認証であってもよい。この場合、携帯電話５０は、図示しない生体情報取得部を通じて生体情報を取得する。例えば指紋認証の場合には指紋センサである。携帯電話５０は、取得した生体情報を暗証番号に代えて登録要求信号に含ませてセンタ４０に送信する。センタ４０のメモリ４１ａには予め正規ユーザの生体情報が登録されている。そして、暗証番号と同様に、生体情報の照合が行われる。
【００６７】
また、携帯電話５０において暗証番号や生体情報の照合を行ってもよい。この場合、携帯電話５０は、照合が成立した旨判断すると、その旨を暗証番号に代えて登録要求信号に含ませる。本構成においては、センタ４０に予め暗証番号等を登録する必要がない。
【００６８】
・第４及び第５の実施形態においては、車載機２０は受信した登録指令信号に基づきメモリ２１ａに記憶するシリアルナンバー（副ＩＤコード１６ａ）を追加していた。しかし、シリアルナンバーを上書きしてもよい。この場合、メモリ２１ａに記憶されていたシリアルナンバーは消去される。本構成においては、電子キーとして使用できる携帯電話の数を制限できるため、セキュリティ性を維持することができる。
【００６９】
・第４の実施形態においては、携帯電話５０は新たなＳＩＭカード５が挿入された旨認識したとき、暗証番号の入力を待って、自動でセンタ４０を介して車載機２０と通信を行っていた。しかし、新たなＳＩＭカード５の挿入をトリガとせず、携帯電話５０のスイッチ群１５の操作により手動でセンタ４０を介して車載機２０と通信を行ってもよい。
【００７０】
・第４及び第５の実施形態においては、センタ４０から車載機２０に送信される登録指令信号には副ＩＤコード１６ａ（シリアルナンバー）のみが含まれていた。しかし、登録指令信号にさらに主ＩＤコードを含ませてもよい。ここで、主ＩＤコードはマスターキー及びサブキー等に応じて複数種類がメモリ２１ａに記憶されている場合がある。この場合、登録指令信号に含まれる主ＩＤコードと同一の、メモリ２１ａに記憶される主ＩＤコードに副ＩＤコードを属させることができる。
【００７１】
・第４及び第５の実施形態においては、携帯電話５０及びセンタ４０において本人認証が行われていたが、車載機２０において本人認証を行ってもよい。この場合、車載機２０は、指紋センタ等の生体認証装置を備える。そして、車載機２０は、生体認証装置を通じてユーザの妥当性が確認された状態において、登録指令信号を受信した場合に限り、登録指令信号に含まれる副ＩＤコードをメモリ２１ａに記憶する。本構成においては、登録要求信号から暗証番号を省略することができる。
【００７２】
・第３の実施形態においては、ＳＩＭカード５に副ＩＤコード１６ａとしてユーザの顔の画像データが記憶されていた。しかし、ＳＩＭカード５ではなく、車載制御装置２１のメモリ２１ａに副ＩＤコード１６ａとしてユーザの顔の画像データが記憶されていてもよい。この場合、内部メモリ１６において副ＩＤコード１６ａとするユーザの顔の画像データが指定され、その副ＩＤコード１６ａ及び主ＩＤコードを含む応答信号が送信される。車載制御装置２１は、主ＩＤコードの照合が成立すると、副ＩＤコードの照合として顔認証を行う。すなわち、応答信号に含まれる画像データとメモリ２１ａに記憶される画像データとが同一人物の顔の画像データである旨認証された場合、すなわち顔認証が成立した場合、車両ドアの施解錠状態が切り替えられる。本構成においても、第３の実施形態と同様の効果が得られる。
【００７３】
・第３の実施形態においては、副ＩＤコードの照合として顔認証が行われていた。しかし、生体認証であれば、顔認証に限らず、その他の指紋、静脈認証等であってもよい。
・第１〜第３の実施形態における内部メモリ１６に記憶されるデータに、データの持ち出しを規制するロックを掛けてもよい。これにより、副ＩＤコード１６ａを含む選択データがＳＩＭカード５とは別のメモリーカード等の記憶媒体にコピーされることやメールに添付されることに一定の制限を加えることができる。一定の制限とは、例えば、選択データのコピー等を完全に不可としてもよいし、コピー等のときにパスワードの入力を求めてもよい。これにより、副ＩＤコード１６ａの持ち出しが規制され、いっそうセキュリティ性を向上させることができる。
【００７４】
・第１〜第５の実施形態においては、携帯電話１０及び車載機２０の無線通信を通じて、車両ドアの施解錠が可能とされていたが、その他、エンジンの始動等を可能としてもよい。具体的には、運転席近傍に車載通信部２２が設けられ、同車載通信部２２に携帯電話１０をかざすことで、主ＩＤコード及び副ＩＤコードの両照合が成立したとき、エンジン始動許可状態となる。この状態において、運転席近傍に設けられるエンジンスイッチが操作されることで、エンジンの始動が可能となる。
【００７５】
・第１〜第５の実施形態においては、携帯電話１０を車載通信部２２にかざすことで近距離無線通信が自動的に行われ、この通信を通じて車両ドアの施解錠が可能となる電子キーシステムを採用していた。しかし、電子キーシステムであればこれに限らず、例えば、スイッチ群１５の操作を通じて携帯電話１０から車載機２０に単方向にドアの施解錠等の実行を要求する要求信号が送信されるワイヤレスキーシステムとしてもよい。この要求信号には、主ＩＤコード、副ＩＤコード及び要求する制御内容を示す指令コードが含まれる。また、車載機２０から車室内外における携帯電話１０に対して応答を要求する要求信号を送信し、その要求信号が送信されるエリアに携帯電話１０が進入したとき、携帯電話１０から応答信号を送信する、いわゆる操作フリーキーシステムであってもよい。車載制御装置２１は、応答信号の妥当性の判定結果に基づきドアの施解錠等を行う。
【００７６】
・第１〜第５の実施形態においては、主ＩＤコードはＳＩＭカード５に登録されていた。しかし、外部メモリであれば、ＳＩＭカード５に限定されるものではない。
・第１〜第３の実施形態においては、副ＩＤコード１６ａは音楽データや画像データの一部を構成するものであったが、副ＩＤコードを生成するためだけのデータを作成してそれを副ＩＤコード１６ａとしてもよい。
【００７７】
・第１〜第５の実施形態においては、電子キー機能付き携帯電話を車両用の電子キーシステムに適用したが、車両用に限らず、例えば、住宅用の電子キーシステムに適用してもよい。
【００７８】
次に、前記実施形態から把握できる技術的思想をその効果と共に記載する。
（イ）カメラを備え、前記外部メモリには前記副ＩＤコードとしてユーザの顔写真の画像データが記憶され、前記制御装置は、前記カメラを通じて撮影される画像データを副ＩＤコードとして前記内部メモリに記憶するとともに、前記外部メモリの前記副ＩＤコードと前記内部メモリの前記副ＩＤコードとの画像データの顔認証を通じて照合を行う電子キー機能付き携帯電話。
【００７９】
同構成によれば、外部メモリに記憶される副ＩＤコードとしての画像データと、内部メモリに記憶される副ＩＤコードとしての画像データとの間で顔認証が行われ、顔認証が成立した場合、すなわち、画像データに同一人物の顔が写っていた場合、副ＩＤコードの照合が成立したとして無線信号を送信可能とする。このように、顔認証であれば、必要に応じて手軽に携帯電話のカメラで顔写真を撮ることで、内部メモリに顔の画像データを保存して、無線信号を送信可能とすることができる。
【符号の説明】
【００８０】
５…ＳＩＭカード（外部メモリ）、１０,５０…携帯電話、１１…携帯側制御装置、１６…内部メモリ、１６ａ…副ＩＤコード、２０…車載機、２１…車載制御装置、３０…カメラ（生体情報取得部）、４０…センタ。
【図１】
0005469018.tif 000002
【図２】
0005469018.tif 000003
【図３】
0005469018.tif 000004
【図４】
0005469018.tif 000005
【図５】
0005469018.tif 000006